(57)【要約】      （修正有）【課題】一種類のタイプの取付金具によって、下地材や梁などの支持材に対する取り付け方向の相異、支持材に対する傾斜角度の相異、及び外囲板の合接板部の位置の相異に対応することができる外囲板取付装置及び取付金具を提供する。【解決手段】外囲板の両側部に立ち上り部を互いに合接し、合接した立ち上り部の上部に板部とからなる合接板部を設ける。取付金具６を、基部１０と支持材の帯状板部に嵌合自在な挾持部８と外囲板の合接板部にスライド自在に密嵌可能なスライド係合部１２と側面当接板状部１４とで構成する。挾持部８を、わん曲閉塞壁部８ａと開口部８ｂと上壁部８ｃと底壁部８ｄとで断面横Ｕ字状に構成し、挾持部８と基部１０とを相対回転可能に連結する。【選択図】図１
2015038273.tif 000002
【特許請求の範囲】
【請求項１】
梁や下地材などの支持材（２）の帯状板部（２ａ）に、複数の並列状に配置された金属製の外囲板（４）を取付金具（６）によって取り付けるための外囲板取付装置であって、前記外囲板（４）の両側部に立ち上り部（４ａ）（４ｂ）を儲け、隣接する外囲板（４）（４）の立ち上り部（４ａ）（４ｂ）を互いに合接し、該合接した立ち上り部（４ａ）（４ｂ）の上部にそれぞれ直角に屈折した屈折板部を形成し、該合接した立ち上り部（４ａ）（４ｂ）の上部に前記屈折板部に対して直角に屈折した外側と内側の板部（４ｃ）（４ｄ）とからなる合接板部を設ける一方、前記取付金具（６）に、基部（１０）と前記支持材（２）の帯状板部（２ａ）に嵌合自在な挾持部（８）と前記合接板部にスライド自在に密嵌可能なスライド係合部（１２）と前記立ち上り部（４ａ）（４ｂ）に当接させるための側面当接板状部（１４）を設け、前記挾持部（８）を前記基部（１０）とは別体とし、該挾持部（８）を、わん曲閉塞壁部（８ａ）と開口部（８ｂ）と上壁部（８ｃ）と底壁部（８ｄ）とで断面Ｕ字状に構成し、前記挾持部（８）の底壁部（８ｄ）と前記基部（１０）との間に、底壁部（８ｄ）と基部（１０）とを該基部（１０）に対して垂直な軸線を中心として相対回転自在に連結する連結手段と、底壁部（８ｄ）と基部（１０）とを解除可能に固定する固定手段とを設け、前記スライド係合部（１２）を前記外囲板（４）（４）の合接板部にスライド自在に嵌合し、前記側面当接板状部（１４）を前記立ち上り部（４ａ）（４ｂ）に当接し、前記取付金具（６）の挾持部（８）を前記支持材（２）の帯状板部（２ａ）に嵌合するようにしたことを特徴とする外囲板取付装置。
【請求項２】
梁や下地材などの支持材（２）の帯状板部（２ａ）に、複数の並列状に配置された金属製の外囲板（４）を取り付けるための取付金具であって、基部（１０）と、前記支持材（２）の帯状板部（２ａ）に嵌合自在な挾持部（８）と、前記外囲板（４）の合接板部にスライド自在に密嵌可能なスライド係合部（１２）と、前記外囲板（４）の立ち上り部（４ａ）（４ｂ）に当接させるための側面当接板状部（１４）とを有し、前記挾持部（８）を前記基部（１０）とは別体とし、該挾持部（８）を、わん曲閉塞壁部（８ａ）と開口部（８ｂ）と上壁部（８ｃ）と底壁部（８ｄ）とで断面Ｕ字状に構成し、前記挾持部（８）の底壁部（８ｄ）と前記基部（１０）との間に、底壁部（８ｄ）と基部（１０）とを該基部（１０）に対して垂直な軸線を中心として相対回転自在に連結する連結手段と、底壁部（８ｄ）と基部（１０）とを解除可能に固定する固定手段とを設けたことを特徴とする取付金具。
【発明の詳細な説明】
【技術分野】
【０００１】
本発明は、Ｌ型鋼やアングルなどの梁や下地材に屋根材や外壁板などの外囲板を固定するための外囲板取付装置及び該装置に使用される取付金具に関する。
【背景技術】
【０００２】
Ｈ型鋼などの長尺状の梁の水平部（エッジ）に複数の並列状に配置された金属製の屋根材や外壁板などの外囲板を、梁に嵌合可能なコ字状の挾持部と外囲板の合接板部に嵌合可能なスライド係合部を有する取付金具によって取り付けるようにした外囲板取付装置が従来知られている（例えば特許文献１参照）。
【先行技術文献】
【特許文献】
【０００３】
【特許文献１】特許第３４６５１２７号公報
【発明の概要】
【発明が解決しようとする課題】
【０００４】
従来の上記外囲板取付装置においては、取付金具の挾持部側とスライド係合部とが一体的に構成されている。そのため、梁や下地材に対して取付金具を前方から取り付けるか後方から取り付けるかによって２種類のタイプの取付金具を用意する必要があり、また外囲板の合接板部が立ち上り部の右側に形成されているか左側に形成されているかでこの種の外囲板に対して、２種類のタイプの取付金具を用意する必要があった。また、梁や下地材に対して外囲板を角度を有して取り付ける場合には、角度に応じたタイプの取付金具を用意する必要があった。そのため、多種類のタイプの取付金具を用意しなければならずその製造が容易でなくコスト高となるという問題点があった。
本発明は、上記問題点を解決することを目的とするものである。
【課題を解決するための手段】
【０００５】
上記目的を達成するため、本発明は、下地材や梁などの支持材（２）の帯状板部（２ａ）に、複数の並列状に配置された金属製の外囲板（４）を取付金具（６）によって取り付けるための外囲板取付装置であって、前記外囲板（４）の両側部に立ち上り部（４ａ）（４ｂ）を儲け、隣接する外囲板（４）（４）の立ち上り部（４ａ）（４ｂ）を互いに合接し、該合接した立ち上り部（４ａ）（４ｂ）の上部にそれぞれ直角に屈折した屈折板部を形成し、該合接した立ち上り部（４ａ）（４ｂ）の上部に前記屈折板部に対して直角に屈折した外側と内側の板部（４ｃ）（４ｄ）とからなる合接板部を設ける一方、前記取付金具（６）に、基部（１０）と前記支持材（２）の帯状板部（２ａ）に嵌合自在な挾持部（８）と前記合接板部にスライド自在に密嵌可能なスライド係合部（１２）と前記立ち上り部（４ａ）（４ｂ）に当接させるための側面当接板状部（１４）を設け、前記挾持部（８）を前記基部（１０）とは別体とし、該挾持部（８）を、わん曲閉塞壁部（８ａ）と開口部（８ｂ）と上壁部（８ｃ）と底壁部（８ｄ）とで断面Ｕ字状に構成し、前記挾持部（８）の底壁部（８ｄ）と前記基部（１０）との間に、底壁部（８ｄ）と基部（１０）とを該基部（１０）に対して垂直な軸線を中心として相対回転自在に連結する連結手段と、底壁部（８ｄ）と基部（１０）とを解除可能に固定する固定手段とを設け、前記スライド係合部（１２）を前記外囲板（４）（４）の合接板部にスライド自在に嵌合し、前記側面当接板状部（１４）を前記立ち上り部（４ａ）（４ｂ）に当接し、前記取付金具（６）の挾持部（８）を前記支持材（２）の帯状板部（２ａ）に嵌合するようにしたものである。
【発明の効果】
【０００６】
本発明は、取付金具の基部と挾持部とを相対回転可能としたので一種類のタイプの取付金具で、梁や下地材などの支持材への二方向からの取り付け、外囲板の支持材に対する傾斜状態での取り付け、及び外囲板の合接板部の左右の形成位置の相異に対応することができ、複数種類のタイプの取付金具を用意する必要がないという効果がある。
【図面の簡単な説明】
【０００７】
【図１】取付金具の外観図である。
【図２】Ａ−Ａ線断面図である。
【図３】本装置の要部の正面図である。
【図４】本装置の要部の平面説明図である。
【図５】本装置の要部の平面説明図である。
【図６】本装置の要部の正面図である。
【図７】本装置の要部の平面説明図である。
【発明を実施するための形態】
【０００８】
以下に本発明の実施の形態を添付した図面を参照して詳細に説明する。
図３において、符号２は建築物の骨格材である梁や下地材などの支持材であり、Ｉ型鋼、Ｈ型鋼、Ｌ型鋼、アングル等により構成されている。本実施形態ではＬ型鋼を用いている。４は鋼板、銅板などの金属板から成る屋根や外壁に用いられる外囲板であり、支持材２の下方や側方に複数互いに隣接して並列に配置されている。
【０００９】
本実施形態では、床面に対して水平な支持材２の下方に外囲板４を直角に配置した例を示している。前記各外囲板４は、図３に示すように、両側部に立ち上り部４ａ，４ｂが屈折形成され、横断面全体形状が略横コ字状に形成されている。
前記外囲板４の一方の立ち上り部４ａを構成する側壁の上部には、外側に屈折する屈折板部と、これに対して下方に垂直に屈折する外側板部４ｃが形成されている。
【００１０】
また、前記外囲板４の他方の立ち上り部４ｂを構成する側壁には、内側に屈折する屈折板部と、これに対して下方に垂直に屈折する内側板部４ｄが形成されている。前記立ち上り部４ａ，４ｂに対して直角に屈折した水平部と、これに対して垂直な内外側板部４ｃ，４ｄは外囲板４，４の接合部Ｈを形成している。６は鋼材などの金属から成る取付金具であり、支持材２の帯板部２ａに脱着自在に圧嵌可能な側面形状が横Ｕ字状の挾持部８と、板状の基部１０と、該基部１０に一体的に形成されたＵ字状の嵌合部を有するスライド係合部１２と、側面当接板状部１４と、突き当て凸部１６と、突き当て屈折部１８とから構成されている。
【００１１】
挾持部８は、わん曲閉塞壁部８ａと、開口部８ｂと、上壁部８ｃと、底壁部８ｄとから成り、底壁部８ｄの中央部にボルト用の穴８ｅが穿設されている。基部１０の略中央部にはボルト用の穴１０ａが穿設され、これら穴８ｅ，１０ａにボルトから成るねじ軸２０が基部１０に対して垂直に嵌挿配置されている。基部１０と挾持部８はねじ軸２０を中心として相対回転自在に構成されている。
【００１２】
これら穴８ｅ，１０ａとボルトから成るねじ軸２０は、底壁部（８ｄ）と基部（１０）とを該基部（１０）に対して垂直な軸線を中心として相対回転自在に連結する連結手段を構成し、ねじ軸２０とナット２２は、底壁部（８ｄ）と基部（１０）とを解除可能に固定する固定手段を構成している。
【００１３】
ねじ軸２０にナット２２をねじ込み、ナット２２とねじ軸２０の頭部とで基部１０と底壁部８ｄを挟圧することで、基部１０と挾持部８とを解除可能に固定することができる。前記スライド係合部１２のＵ字状の嵌合部は、前記一対の外囲板４，４の互いに合接する内外側板部４ｃ，４ｄに外囲板４，４の長手方向の端部からスライド自在に密嵌し得る形状に屈折且つ屈曲形成されている。
【００１４】
本発明において、挾持部８の底壁部８ｄと前記基部１０とは基部（１０）に対して垂直なねじ軸２０を中心として相対回転自在に連結され、該相対回転は、ねじ軸２０にナット２２をねじ込むことで解除可能に固定できるように構成されているが、この連結手段及び固定手段は種々の構成を採用することができ、本発明の実施に際し、図２に示す、ボルトからなるねじ軸２０とナット２２の構成に特に限定されるものではない。また図２において、ねじ軸２０は底壁部８ｄと基部１０のいずれか一方に固定した構成としても良い。
【００１５】
次に本実施形態の作用について説明する。
図３に示すように、一対の外囲板４，４を隣接配置し、一方の外囲板４の外側板部４ｃを他方の外囲板４の内側板部４ｄに合接し、一方の外囲板４の立ち上り部４ａと、他方の外囲板４の立ち上り部４ｂとを当接させる。該状態において、一対の外囲板４，４の立ち上り部４ａ，４ｂの上部に、該立ち上り部４ａ，４ｂの図３中、左側に突出するＬ字状の接合部Ｈが形成される。
【００１６】
次に、取付金具６の挾持部８の開口部８ｂを支持材２に向け、互いに合接させた一対の外囲板４，４の端部から取付金具６のスライド係合部１２を、一対の外囲板４，４の内外側板部４ｃ，４ｄからなる合接板部にスライド自在に嵌合する。この嵌合によって、取付金具６の側面当接板状部１４は、図３に示すように、外囲板４の立ち上り部４ｂに当接し、突き当て屈折部１８が、外囲板４の内側板部４ｄに当接し、突き当て凸部１６が立ち上り部４ｂに対して屈折する水平部の下面に当接する。
【００１７】
これらスライド係合部１２の内外側板部４ｃ，４ｄとの嵌合、側面当接板状部１４の立ち上り部４ｂとの当接、突き当て屈折部１８の内側板部４ｄとの当接、突き当て凸部１６の接合部Ｈの水平部との当接により、一対の外囲板４，４は強固に結合するとともに、一対の外囲板４，４に対して、取付金具６が安定的に結合する。
【００１８】
次に、一対の外囲板４，４の互いに合接する立ち上り部４ａ，４ｂの上部に嵌合させた取付金具６を、内外側板部４ｃ，４ｄに沿ってスライドさせて、大体の位置合わせを行う。また、上記した要領で所要数の外囲板４を取付金具６のスライド係合部１２によって並列状に結合する。
【００１９】
次に、結合した所要数の外囲板４を支持材２の下方に、これに対して直角に配置する。次に、取付金具６の挾持部８をその開口部８ｂから支持材２の帯状板部（エッジ）２ａに圧入嵌合する。これにより所要数の互いに並列状に結合した外囲板４は支持材２に固定される。図３は、支持材２の手前側から即ち、図４中、矢印Ｂ方向から取付金具６を支持材２に結合し、外囲板４，４の接合部Ｈを、支持材（２）に対して直角に設定した場合であるが、図４中、仮想線で示すように、ナット２２を緩め、取付金具６の基部１０を、ねじ軸２０を中心にして、挾持部８に対して回転させ、支持材（２）に対して、外囲板４，４を９０度から３０度の角度の範囲内で傾斜させ、しかる後にナット２２を締め込むことで外囲板４，４を斜めの角度を有して支持材（２）に固定することができる。
【００２０】
また、図５に示すように、挾持部８をねじ軸２０を中心に、１８０度回転させることで、矢印Ｃ方向から取付金具６を支持材（２）に結合することができる。また図６に示すように、一対の外囲板４，４の立ち上り部４ａ，４ｂの図６中、右側に接合部Ｈが形成された外囲板４，４を支持材（２）の手前側から結合する場合には、挾持部８に対して基部１０を１８０度回転させ、挾持部８に対してスライド係合部１２を図６中、右側に配置するとともに、挾持部８の開口部８ｂを支持材（２）に対向させることで、外囲板４，４を支持材（２）に固定させることができる。
【００２１】
また、図６中、右側に接合部Ｈが形成された外囲板４，４を支持材（２）の後方から、図７に示す矢印Ｄの方向に挾持部８を支持材（２）に嵌合して、外囲板４，４を支持材（２）に固定する場合には、挾持部８を基部１０に対して１８０度回転させる。これにより、図７中、矢印方向Ｄから、取付金具６を支持材（２）に結合させることができる。
【符号の説明】
【００２２】
２      支持材
２ａ    帯状板部
４      外囲板
４ａ    立ち上り部
４ｂ    立ち上り部
４ｃ    外側板部
４ｄ    内側板部
６      取付金具
８      挾持部
１０    基部
１２    スライド係合部
１４    側面当接板状部
１６    突き当て凸部
１８    突き当て屈折部
２０    ねじ軸
２２    ナット
【図１】
2015038273.tif 000003
【図２】
2015038273.tif 000004
【図３】
2015038273.tif 000005
【図４】
2015038273.tif 000006
【図５】
2015038273.tif 000007
【図６】
2015038273.tif 000008
【図７】
2015038273.tif 000009